(57)【要約】【課題】  効果的に流体を活性化させることができる安価な流体活性化装置を提供する。【解決手段】  配管１に流れる流体を活性化させるために、配管１の外周に２個一対の組立体２ａおよび２ｂが配設されている。組立体２ａ，２ｂはインナーベース３とアウターカバーで囲われた内部に、電磁波発生体５Ｎおよび５Ｓが交互に納められたケース６をインナーベース３にエポキシ系接着剤で接着し、ケース６がズレないようにスペーサー７を配し、外側を鉛製の防波材８で覆い、プラスチック粘土９を充填して一体的に固定し、インナーベース３とアウターカバー４を皿小ネジ１０で固定した一体構造からなる。電磁波発生体５Ｎおよび５Ｓは複数個を長手方向に等間隔で配列し、複数列のケース６を円周方向に等分に配置することからなる。組立体２ａと２ｂを配管１の外周に配設し、カバー４の両端に明けられたケース固定用穴１１に固定金具１２を取り付けて、皿小ネジ１３で一体的に固定している。【選択図】図１
2009095816.tif 000002
【特許請求の範囲】
【請求項１】
上下水道の配管に流れる水などの流体を活性化させるために、配管の円周方向に配置される複数の永久磁石ネオジム系希土類鉄合金電磁波発生体が、一定の間隔で配列された流体活性化装置において、各々の電磁波発生体から放射される電磁波と流体とが、効果的に接触するように全周に配置したことを特徴とする流体活性化装置。
【請求項２】
配管内を流れる流体を活性化させるために、配管の円周方向に設置される電磁波発生体を備えた流体活性化装置において配管の外部に設置される２個一対の組立体からなり、このカバーの両側に設けられた固定部を、それぞれ専用の固定金具にて一体化することを特徴とする流体活性化装置。
【請求項３】
前記電磁波発生体は、ネオジム系磁石をＮ極とＳ極が交互になるように配置し、偶数個で円周方向に等間隔で配列され、さらに電磁波が装置の外部に漏れてエネルギーロスを生じさせないためと、人体に悪影響を与えないようにするために電磁波発生体を非磁性金属製の防波材で覆う構造にしていることを特徴とする、請求項１または２の流体活性化装置。
【発明の詳細な説明】
【技術分野】
【０００１】  本発明は、配管内を流れる流体をイオン化して活性化させる流体活性化装置に関する。
【背景技術】
【０００２】  従来の流体活性化装置は、配管の外側に永久磁石または核磁気共鳴エネルギー発生体等が配設された構成となっている。（例えば特許文献１および２参照）。
【特許文献１】  特公平５−１８６３５号広報
【特許文献２】  特開２０００−９２９０号広報
【特許文献３】  特開２００６−６８６２１号広報
【発明の開示】
【発明が解決しようとする課題】
【０００３】  従来の流体活性化装置は、配管の外側の一部または全周に永久磁石またはエネルギー発生体等が不等配に配設された構成となっており、その構造から高価になり、取り付けにも熟練や技術を要するなど問題があった。【０００４】  流体の活性化を、より促進させるには磁力の大きい磁石ほど好ましいが、ある大きさにおける磁石では磁力を強力にするには限界があり、十分な効果を得ることができず、磁石を大きくしたり数を増やすことはコスト高になるという問題があった。【０００５】  本発明の課題は、安価でかつ効果的に流体を活性化させることができ、工事に熟練や特別な技術を必要としない工法の流体活性化装置を提供することにある。
【課題を解決するための手段】
【０００６】  上記課題を解決するための本発明の請求項１は、配管に流れる流体を活性化させるために、配管の円周方向に配設される電磁波発生体を備えた流体活性化装置において、夫々の電磁波発生体から放射される電磁波（マイクロ波）と流体とが効果的に接触する構造となっていることを特徴とする。【０００７】  上記課題を解決するための本発明の請求項２は、配管に流れる流体を活性化させるために、配管の円周方向に配設される電磁波発生体を備えた流体活性化装置において配管の外部に設置される２個一対の組立体からなり、組立体はインナーベースとアウターカバー内部にエポキシ系接着材とプラスチック粘土で固定された電磁波発生体からなり、前記２個のカバーを一体化して固定することを特徴とする。【０００８】  上記課題を解決するための本発明の請求項３は、前記請求項１または２において、前記電磁波発生体は、ネオジム系希土類磁石をＮ極とＳ極が交互になるように配置し、偶数個で円周方向に等間隔で配列され、さらに電磁波が装置の外部に漏れてエネルギーロスを生じさせないためと、人体に悪影響を及ぼさないように電磁波発生体を非磁性金属を用いた防波材で覆う構造にしていることを特徴とする。
【発明の効果】
【０００９】  焼結合金を用いた電磁波発生体は、幅広い波長の電磁波を発生しており、配管の内側全体がその電磁波で覆われることで電磁波の密度が大きくなり、そこを通過する流体が効率良く接触して活性化が促進され、赤錆が黒錆に還元することにより配管内部が強固になり、微小な穴（ピンホール）を塞ぐことになる。
また、流体の吸収力が高くなることで配管の内部に堆積した水垢やスケール等が流体に吸収され、配管の内部閉塞を改善する。
【発明を実施するための最良の形態】
【００１０】  本発明の流体活性化装置の実施の形態を図１および図２により説明する。
配管１の外周には、２個一体の組立体２ａおよび２ｂが配設されている。組立体２ａと２ｂは同じ構造よりなるので、同じ部材または部分には同一番号を付して説明する。【００１１】  組立体２ａ，２ｂは、ステンレス製のインナーベース３に固定された複数個の電磁波発生体５Ｎ，５Ｓを有している。アウターカバー４はステンレス製の半円状の外壁と直線状の側壁を溶接にて一体化で形成されている。電磁波発生体５Ｎ，５Ｓはアルミ製のケース６内に納められ、インナーベース３にエポキシ系接着剤で接着させ、ケース６がズレないようにアルミ製のスペーサー７を配し、ケース６とスペーサー７の外側を鉛板の防波材８で覆い、プラスチック粘土９を充填して一体的に固定し、インナーベース３とアウターカバー４をステンレス製の皿小ネジ１０で固定した一体化の構造である。【００１２】  電磁波発生体５Ｎ，５Ｓは、複数個を長手方向に等間隔で、かつ極性を交互にして配列し複数列のケース６を円周方向に極性を交互にして、かつ等分に配置することからなる。【００１３】  組立体２ａ，２ｂを配管１の外周に配設し、アウターカバー４の両端に明けられたカバー固定用穴１１に固定金具１２を取り付けて、ステンレス製の皿小ネジ１３で、一体的に固定する。【００１４】  次に作用について説明する。電磁波発生体５Ｎ，５Ｓより放射された電磁波は、Ｎ極とＳ極を互いに交互に配置したネオジム磁石５からはマイクロ波が得られる。
このマイクロ波は配管１の内壁全体に網の目のように張り巡らされ、配管１に流れる流体を活性化させ、その活性化水は配管１の内壁に付着したスケールが、活性化された水に吸収されて溶け出す。また、内壁に発生した赤錆は活性化水の還元作用により黒錆化され、配管１の閉塞が改善され、スケールによる閉塞と赤錆による腐食劣化は改善される。
【図面の簡単な説明】
【００１５】
【図１】  本発明の流体活性化装置の第１および第２の実施の形態を示し、（ａ）は平面図，（ｂ）は（ａ）のＡ−Ａ断面図である。
【図２】  本発明の流体活性化装置の取付図である。
【図３】  本発明の流体活性化装置の第３の実施の形態を示し、（ａ）は縦断面図、（ｂ）は（ａ）の横断面図である。
【符号の説明】
【００１６】  １        配管
２Ａ        組立体Ａ
２Ｂ        組立体Ｂ
３        インナーベース
４        アウターカバー
５        ネオジム磁石
５Ｎ        電磁波発生体（Ｎ極）
５Ｓ        電磁波発生体（Ｓ極）
６        ケース
７        スペーサー
８        非磁性金属防波材
９        プラスチック粘土
１０        皿小ネジ
１１        ケース固定用穴
１２        固定金具
１３        皿小ネジ
【図１】
2009095816.tif 000003
【図２】
2009095816.tif 000004
【図３】
2009095816.tif 000005